(57)【要約】【課題】屋内飼いのペット、特に飼い主と同室で生活することの多いペットの生体リズムを整える。【解決手段】この照明システムは、犬Ｄの生活領域であるペットエリアＥ２を含むリビング１に設置されており、当該リビング１を照明するシーリングライト４およびダウンライト５と、ペットエリアＥ２に犬Ｄが存在することを検知する空間センサ６と、この空間センサ６により犬Ｄの存在が検知された場合に、ダウンライト５からペットエリアＥ２に向かう光の明るさを、予め設定された光パターンに基づき、時間に応じて調整する制御部７とを備えている。【選択図】図１
2008237113.tif 000002
【特許請求の範囲】
【請求項１】
ペットの生活領域であるペットエリアを含む居室に設置され、当該居室を照明する照明手段を備えたペット共生用の照明システムであって、
前記ペットエリアにペットが存在することを検知する検知手段と、
この検知手段によりペットの存在が検知された場合に、照明手段からペットエリアに向かう光の明るさを、予め設定された光パターンに基づき、時間に応じて調整する制御部とを備えることを特徴とする照明システム。
【請求項２】
前記ペットエリアが、居室の一隅に設けられており、
前記照明手段は、居室の天井の略中央に設けられて、ほぼペットエリア以外を照明する主照明と、ペットエリアの上方に設けられて、ほぼペットエリアのみを照明する副照明とを含み、
前記検知手段によりペットの存在が検知された場合に、前記副照明のみが制御部によって制御されることを特徴とする請求項１に記載の照明システム。
【請求項３】
前記照明手段は、居室の天井の略中央に設けられて、ペットエリアを含む広い領域を照明する照明器具であり、
この照明器具に、ペットエリアを照明する光の明るさを調整する調光手段を設け、
前記検知手段によりペットの存在が検知された場合に、前記調光手段が制御部によって制御されることを特徴とする請求項１に記載の照明システム。
【請求項４】
前記調光手段は、照明器具の発光部近傍に設けられ、発光部からペットエリアに向かう光を遮蔽する可動式の遮蔽部材であり、
前記制御部は、遮蔽部材を駆動制御して前記ペットエリアに向かう光に対する遮蔽割合を調節することで、当該光の明るさを調整することを特徴とする請求項３に記載の照明システム。
【請求項５】
前記検知手段は、ペットエリアの床に立設された空間センサ、ペットエリアの天井に設けられた天井センサ、および、ペットエリアの床に敷設された圧力センサのうちの少なくとも１つを含むことを特徴とする請求項１〜４のいずれか一項に記載の照明システム。
【発明の詳細な説明】
【技術分野】
【０００１】
本発明は、ペット共生用の照明システムに関するものである。
【背景技術】
【０００２】
近年、ペットである例えば犬や猫等の小動物が屋内で飼われることが増加している。これらの小動物は、屋外で飼われていると、日の出から日の入りまでは太陽光を見ているが、屋内で飼われていると、主に照明の光を見るようになる。そして、照明は、通常、飼い主が起きてから出かけるまでと、飼い主が帰ってきてから就寝するまでに点灯されるようになっており、屋内で飼われる小動物は、太陽が沈んだ後の夜間も暫くは照明の光を見るようになる。
【発明の開示】
【発明が解決しようとする課題】
【０００３】
しかしながら、前記のように小動物が、太陽光を見る時間帯以外に照明の光を見るようになっていると、小動物の生体リズムが乱れることがある。
【０００４】
本発明は、このような事情に鑑み、屋内飼いのペット、特に飼い主と同室で生活することの多いペットの生体リズムを整えることができるようにすることを目的とする。
【課題を解決するための手段】
【０００５】
請求項１の発明は、ペットの生活領域であるペットエリアを含む居室に設置され、当該居室を照明する照明手段を備えたペット共生用の照明システムであって、前記ペットエリアにペットが存在することを検知する検知手段と、この検知手段によりペットの存在が検知された場合に、照明手段からペットエリアに向かう光の明るさを、予め設定された光パターンに基づき、時間に応じて調整する制御部とを備えることを特徴とするものである。
【０００６】
請求項２の発明は、請求項１に記載の照明システムにおいて、前記ペットエリアが、居室の一隅に設けられており、前記照明手段は、居室の天井の略中央に設けられて、ほぼペットエリア以外を照明する主照明と、ペットエリアの上方に設けられて、ほぼペットエリアのみを照明する副照明とを含み、前記検知手段によりペットの存在が検知された場合に、前記副照明のみが制御部によって制御されることを特徴とするものである。
【０００７】
請求項３の発明は、請求項１に記載の照明システムにおいて、前記照明手段は、居室の天井の略中央に設けられて、ペットエリアを含む広い領域を照明する照明器具であり、この照明器具に、ペットエリアを照明する光の明るさを調整する調光手段を設け、前記検知手段によりペットの存在が検知された場合に、前記調光手段が制御部によって制御されることを特徴とするものである。
【０００８】
請求項４の発明は、請求項３に記載の照明システムにおいて、前記調光手段は、照明器具の発光部近傍に設けられ、発光部からペットエリアに向かう光を遮蔽する可動式の遮蔽部材であり、前記制御部は、遮蔽部材を駆動制御して前記ペットエリアに向かう光に対する遮蔽割合を調節することで、当該光の明るさを調整することを特徴とするものである。
【０００９】
請求項５の発明は、請求項１〜４のいずれか一項に記載の照明システムにおいて、前記検知手段は、ペットエリアの床に立設された空間センサ、ペットエリアの天井に設けられた天井センサ、および、ペットエリアの床に敷設された圧力センサのうちの少なくとも１つを含むことを特徴とするものである。
【発明の効果】
【００１０】
請求項１の発明によれば、ペットエリアを照明する光の明るさを、予め設定された光パターンに基づき、時間に応じて調整するようにしたので、ペットエリアのペットに時間に応じた明るさの光が照射されるようになる。これにより、その光をペットが見ることによって、屋内飼いのペット、特に飼い主と同室で生活することの多いペットであっても、当該ペットの生体リズムが整えられるようになる。
【００１１】
請求項２の発明によれば、ペットエリアの照明環境を決定する副照明の光のみを調整するようにしたので、飼い主の照明環境を決定する主照明を、飼い主に適した状態で維持することができる。これにより、飼い主の照明環境を損なうことなく、ペットの生体リズムを整えることができる。
【００１２】
請求項３の発明によれば、照明器具の調光手段により、ペットエリアを照明する光を調整するようにしたので、居室にペットエリア専用の照明が設けられていない場合でも、ペットエリアの照明制御を行うことができる。
【００１３】
請求項４の発明によれば、遮蔽部材を駆動させることでペットエリアに向かう光の明るさを調整するようにしたので、簡単な構成で、ペットエリアを照明する光の明るさを調整することができる。
【００１４】
請求項５の発明によれば、ペットエリアにペットが存在することを容易に検知することができる。
【発明を実施するための最良の形態】
【００１５】
以下、本発明の実施形態を図面に基づいて説明する。
【００１６】
図１は、本発明の第１実施形態によるペット共生用の照明システムを備えたリビングの全体構成を示した斜視図であり、図２は、図１に示したリビングの概略構成図である。また、図３は、第１実施形態による照明システムの電気的構成を示したブロック図であり、図４は、犬の生体リズムおよびこの生体リズムを考慮して提案された３つの光パターンを示したグラフである。まず、第１実施形態の照明システムを備えたリビング１の全体構成について説明する。
【００１７】
このリビング１は、ペットである犬Ｄと、その飼い主Ｍとが共生する空間であり、図１〜図３に示すように、飼い主Ｍが主に生活する領域である居住エリアＥ１と、犬Ｄが主に生活する領域であるペットエリアＥ２とを含んでいる。居住エリアＥ１の略中央位置には、飼い主Ｍがくつろぐためのソファセット２が配設されている。また、ペットエリアＥ２の右側壁面には、収納用のサイドボード３が設置されている。
【００１８】
そして、リビング１には、当該リビング１を照明する第１実施形態のペット共生用の照明システムが設けられている。この照明システムは、シーリングライト（主照明）４と、３つのダウンライト（副照明）５と、空間センサ（検知手段）６と、制御部７とにより構成されている。
【００１９】
シーリングライト４は、ほぼ居住エリアＥ１のみを照明するものであり、図中ではリビング１の天井１ａの中央やや左寄りの位置に設けられている。このシーリングライト４は、通常、飼い主Ｍが起きてから出かけるまでと、飼い主Ｍが帰ってきてから就寝するまでに点灯されるものである。なお、シーリングライト４の点灯・消灯は、例えばリビング１の壁面に設けたスイッチを飼い主Ｍが手動操作することによって行われる。
【００２０】
ダウンライト５は、ほぼペットエリアＥ２のみを照明するものであり、ペットエリアＥ２上方の天井１ａに設けられている。各ダウンライト５は、図３に示すように、制御部７により制御される点灯回路８および調光制御回路９を含んでいる。点灯回路８は、ダウンライト５の点灯・消灯をコントロールするためのものであり、調光制御回路９は、ダウンライト５から放射される光の明るさを調整するためのものである。これらの回路８，９は、制御部７からの制御信号によって、ダウンライト５から放射される光の明るさ（全灯状態や消灯状態を含む）を、予め設定された光パターンに基づき、時間に応じて自動で調整するように構成されている。なお、ダウンライト５は、犬ＤがペットエリアＥ２に存在しないときは、リビング１の補助照明として機能するものであり、リビング１の雰囲気に合わせて上記スイッチを飼い主Ｍが手動操作することで点灯・消灯させることが可能となっている。
【００２１】
空間センサ６は、リビング１のペットエリアＥ２の床１ｂに立設されており、ペットエリアＥ２に犬Ｄが存在することを検知する機能を有している。空間センサ６は、ペットの大きさに合わせて、比較的低位置に支持具（図示せず）を用いて設置されており、ペットエリアＥ２のみをセンシング可能となっている。この空間センサ６の一例としては、松下電工株式会社製のＮａＰｉＯｎセンサ等の赤外線センサが挙げられる。なお、上記空間センサ６以外の、例えばペットエリアＥ２の上方の天井１ａに設けた天井センサ６１（図５参照）であってもよい。この天井センサ６１の一例としては、松下電工株式会社製のＮａＰｉＯｎセンサ等の赤外線センサが挙げられる。また、ペットエリアＥ２の床１ｂに敷設された圧力センサ６２（図６参照）であってもよい。この圧力センサ６２は、薄く柔らかい圧電センサであり、例えば窒化アルミニウムの薄膜を金属箔上に形成したシート状の圧電センサを挙げることができる。また、これらのセンサを組み合わせて用いてもよい。また、ビデオ等の撮像手段を用いて犬Ｄの存在を検知する構成であってもよい。
【００２２】
制御部７は、ＣＰＵ、ＲＡＭ、ＲＯＭ等からなり、前記空間センサ６からの検知信号を受けて、ダウンライト５を点灯あるいは消灯するとともに、ダウンライト５から放射される光の明るさを予め設定された光パターンに基づき時間に応じて調整すべく、点灯回路８および調光制御回路９を制御するものである。この制御部７は、タイマー設定部と、タイマー部と、メモリとを備えており、タイマー設定部の設定データに基づき、タイマー部のカウントが設定データに合致した際に、ダウンライト５の点灯回路８および調光制御回路９に動作命令の制御信号を送信するようになっている。そして、前記メモリには、例えば以下に詳述する予め設定された光パターンＡが記憶されている。
【００２３】
すなわち、犬Ｄは、一般的に図４に示すように、７時頃に起きて２０時頃に眠るが、その間の１３時頃から１６時頃まで昼寝する。そのため、犬の生体リズム（覚醒リズム）は、１０時頃と１８時頃に２つのピーク（図中の一点鎖線参照）を持つと想定（仮定）される。
【００２４】
前記光パターンＡは、上記のような想定の基、犬Ｄの生態に合わせて設定されたものであり、この光パターンＡでは、２０時頃から７時頃までは光の強度が弱く、７時頃から眠る少し前の１８時過ぎ頃までは光の強度が強く、１８時過ぎ頃から２０時頃までは光の強度がその真ん中程度になっている。
【００２５】
そして、制御部７は、タイマー部で計時することにより、メモリに記憶された光パターンＡに基づいて、光の明るさを変更すべきタイミングである設定時間（例えば、６：５０、１８：２０、２０：００等）となる度に、調光制御回路９を介してダウンライト５の発光部（図示せず）への給電量を変化させて、ダウンライト５の発光強度の強弱を調整する。そうすると、前記ダウンライト５から放出されてペットエリアＥ２に存在する犬Ｄに照射される光の明るさが、時間に応じて調整されるようになり、昼間は明るく夜間は暗くなる。なお、犬Ｄの就寝時刻から起床時刻までの間は、犬ＤがペットエリアＥ２に存在していても、ダウンライト５が消灯するように点灯回路８が制御される構成であってもよい。
【００２６】
上記光パターンＡでは、７時頃から１８時過ぎ頃まで光の明るさが一定になっているが、図４に示す光パターンＢのように、昼寝の時間である１３時頃から１６時頃までは光の明るさを少し暗くするようにしてもよい。このようにすれば、消費電力を抑えることができる。それに加え、図４に示す光パターンＣのように、犬Ｄの生体リズムのピークに合わせて、一定時間だけ光の明るさを少し明るくするようにしてもよい。このようにすれば、効果的に犬Ｄの生体リズムを整えることができる。
【００２７】
第１実施形態では、上記のように、ペットエリアＥ２を照明する光の明るさを、予め設定された光パターンに基づき、時間に応じて調整するようにしたので、ペットエリアＥ２の犬Ｄに時間に応じた明るさの光が照射されるようになる。これにより、その光を犬Ｄが見ることによって、屋内飼いの犬Ｄ、特に飼い主と同室で生活することの多い犬Ｄであっても、当該犬Ｄの生体リズムが整えられるようになる。
【００２８】
また、第１実施形態では、上記のように、ペットエリアＥ２の照明環境を決定するダウンライト５の光のみを制御部７により調整するようにしたので、飼い主の照明環境を決定するシーリングライト４を、飼い主に適した状態で維持することができる。これにより、飼い主の照明環境を損なうことなく、犬Ｄの生体リズムを整えることができる。
【００２９】
また、第１実施形態では、上記のように、ペットエリアＥ２の床１ｂに空間センサ６を設けたので、ペットエリアＥ２に犬Ｄが存在することを容易に検知することができる。
【００３０】
なお、上記実施形態では、制御部７により３つのダウンライト５を同時に制御する構成を示したが、これに限らず、制御部７が３つのダウンライト５を個別に制御する構成であってもよい。
【００３１】
また、ペットエリアＥ２を照明するダウンライト５の数は、３つに限らない。また、ダウンライト５に代えて、リビング１の側壁面に取り付けたブラケットによりペットエリアＥ２を照明する構成であってもよい。
【００３２】
次に、図７〜図９を参照して、第２実施形態による照明システムについて説明する。
【００３３】
前記第１実施形態の照明システムと異なるのは、図７に示すように、単一のシーリングライト（照明器具）１１を用いて、ペットエリアＥ２を含むリビング１全体を照明している点である。このシーリングライト１１は、リビング１の天井１ａの略中央に配されており、全灯状態では居住エリアＥ１およびペットエリアＥ２の両方を照明する一方で、半灯状態ではほぼ居住エリアＥ１のみを照明するように、その照明範囲を切替（調整）可能に構成されている。
【００３４】
シーリングライト１１は、図９に示すように、当該ライト１１を天井１ａに取り付けるための取付部材１２と、この取付部材１２に保持される環状の小径光源１３および大径光源１４からなる２重光源部と、これら２つの光源１３，１４を下方から覆うカバー部材１５とを含んでいる。また、カバー部材１５は、図８および図９に示すように、中央部１５ａと、この中央部１５ａを取り囲む外縁部１５ｂとを有している。
【００３５】
２つの光源１３，１４は、互いに独立して点灯・消灯するように構成されており、小径光源１３からの光は、カバー部材１５の中心部１５ａを主に通過するとともに、大径光源１４からの光は、カバー部材１５の外縁部１５ｂを主に通過するようになっている。
【００３６】
そして、小径光源１３および大径光源１４の両方が同時に点灯している全灯時には、シーリングライト１１から角度幅ａで光が放射され、これによってリビング１全体が照明される一方、小径光源１３のみが点灯している半灯時には、シーリングライト１１から角度幅ｂで光が放射され、これによってほぼ居住エリアＥ１のみが照明されるようになっている。この第２実施形態では、空間センサ６からの検知信号を基に、制御部７が、大径光源１４を点灯・消灯するように構成されており、当該大径光源１４が本発明の「調光手段」として機能する。
【００３７】
なお、カバー部材１５の外縁部１５ｂに液晶シャッター機構を設けて、外縁部１５ｂを通過する光に対する透過率を調整することによって、大径光源１４から放射される光の明るさを細かく調整し、ペットエリアＥ２に向かう光の明るさを微調整することが可能である。この場合、液晶シャッター機構が本発明の「調光手段」に相当する。
【００３８】
第２実施形態では、上記のように、小径光源１３および大径光源１４の点灯状況により、ペットエリアＥ２を照明する光を調整するようにしたので、リビング１にペットエリアＥ２専用の照明が設けられていない場合でも、ペットエリアＥ２の照明制御を行うことができる。
【００３９】
また、図１０に示す第２実施形態の変形例による発光ユニット（照明器具）２１であってもよい。この発光ユニット２１は、光源（発光部）２２と、光源の上方に配される反射板２３と、光源２１の側方に近接して配される一対の可動式の遮蔽板（調光手段）２４とを有している。そして、遮蔽板２４は、例えばソレノイドにより駆動される回転軸２５を中心に回動可能に構成されており、前記ソレノイドを駆動制御して遮蔽板２４を所定の角度位置まで移動させることで光源２２からの光を遮蔽（配光）し、ペットエリアＥ２を照明する光を調整するようになっている。このように、遮蔽板２４を駆動させることでペットエリアＥ２に向かう光の明るさを調整するようにしたので、簡単な構成で、ペットエリアＥ２を照明する光の明るさを調整することができる。
【図面の簡単な説明】
【００４０】
【図１】本発明の第１実施形態によるペット共生用の照明システムを備えたリビングの全体構成を示した斜視図である。
【図２】図１に示したリビングの概略構成図であり、（ａ）は平面図、（ｂ）は正面図である。
【図３】第１実施形態による照明システムの電気的構成を示したブロック図である。
【図４】犬の生体リズムおよびこの生体リズムを考慮して提案された３つの光パターンを示したグラフである。
【図５】天井センサを備えた照明システムの斜視図である。
【図６】圧力センサを備えた照明システムの斜視図である。
【図７】本発明の第２実施形態による照明システムの概略正面図である。
【図８】図７に示した照明システムのシーリングライトを示した斜視図である。
【図９】図８に示したシーリングライトの断面図である。
【図１０】第２実施形態の変形例による発光ユニットの構成を示した断面図である。
【符号の説明】
【００４１】
１  リビング（居室）
１ａ  天井
４  シーリングライト（主照明、照明手段）
５  ダウンライト（副照明、照明手段）
６  空間センサ（検知手段）
７  制御部
１１  シーリングライト（照明器具、照明手段）
１３  小径光源
１４  大径光源（調光手段）
２１  発光ユニット（照明器具、照明手段）
２２  光源（発光部）
２４  遮蔽板（遮蔽部材、調光手段）
６１  天井センサ（検知手段）
６２  圧力センサ（検知手段）
Ｄ  犬（ペット）
Ｅ２  ペットエリア
【図１】
2008237113.tif 000003
【図２】
2008237113.tif 000004
【図３】
2008237113.tif 000005
【図４】
2008237113.tif 000006
【図５】
2008237113.tif 000007
【図６】
2008237113.tif 000008
【図７】
2008237113.tif 000009
【図８】
2008237113.tif 000010
【図９】
2008237113.tif 000011
【図１０】
2008237113.tif 000012